(57)【要約】  ＣＤＤを用いる場合に他セルからの干渉信号のＣＤＤモードを正確に判定することができる無線通信移動局装置。この装置において、モード判定部（１１０）は、復調部（１０６）から入力されるデータ信号のうち、いくつかのデータ信号をＣＤＤチャネル推定用信号として指定し、ＣＤＤチャネル推定用信号毎にＳＩＮＲを測定する。そして、モード判定部（１１０）は、それぞれが２つのＣＤＤチャネル推定用信号から構成される複数のＣＤＤチャネル推定用信号ペア毎の平均ＳＩＮＲの差に基づいて、他セルからの干渉信号のＣＤＤモードを判定する。また、モード判定部（１１０）は、ＣＤＤモードをＳＤ−ＣＤＤであると判定する場合に、全ＣＤＤチャネル推定用信号の平均ＳＩＮＲに対応するＣＱＩを生成する。
2008149533.tif 000002
【特許請求の範囲】
【請求項１】
循環遅延ダイバーシチ送信されたマルチキャリア信号を受信する受信手段と、
前記マルチキャリア信号において、複数の第１サブキャリアに配置された第１信号群の回線品質および前記複数の第１サブキャリアと異なる複数の第２サブキャリアに配置された第２信号群の回線品質を測定する測定手段と、
前記第１信号群の回線品質と前記第２信号群の回線品質との差に基づいて、他セルからの干渉信号のＣＤＤモードを判定する判定手段と、
を具備する無線通信移動局装置。
【請求項２】
前記判定手段は、前記差が閾値以上の場合は前記ＣＤＤモードをＳＤ−ＣＤＤであると判定し、前記差が前記閾値未満の場合は前記ＣＤＤモードをＬＤ−ＣＤＤであると判定する、
請求項１記載の無線通信移動局装置。
【請求項３】
前記第１信号群および前記第２信号群はそれぞれ複数のデータ信号で構成される、
請求項１記載の無線通信移動局装置。
【請求項４】
前記第１信号群および前記第２信号群はそれぞれ複数の個別参照信号で構成される、
請求項１記載の無線通信移動局装置。
【請求項５】
前記判定手段は、前記ＣＤＤモードをＳＤ−ＣＤＤであると判定する場合に、前記第１信号群および前記第２信号群の全ての信号から測定される回線品質に対応するＣＱＩを生成し、
前記ＣＱＩを用いてフィードバック情報を生成する生成手段、をさらに具備する、
請求項１記載の無線通信移動局装置。
【請求項６】
前記受信手段は、前記第１信号群の配置位置および前記第２信号群の配置位置を示す配置情報を受信し、
前記判定手段は、前記配置情報に基づいて前記第１信号群の配置位置および前記第２信号群の配置位置を特定する、
請求項１記載の無線通信移動局装置。
【請求項７】
循環遅延ダイバーシチ送信されたマルチキャリア信号において、複数の第１サブキャリアに配置された第１信号群の回線品質と、前記複数の第１サブキャリアと異なる複数の第２サブキャリアに配置された第２信号群の回線品質との差に基づいて、他セルからの干渉信号のＣＤＤモードを判定する、
ＣＤＤモード判定方法。
【発明の詳細な説明】
【技術分野】
【０００１】
本発明は、無線通信移動局装置およびＣＤＤモード判定方法に関する。
【背景技術】
【０００２】
近年、高速大容量のデータ伝送を実現するための伝送技術の検討が行われており、複数のアンテナを用いたＭＩＭＯ（Multi Input Multi Output）伝送技術が注目を集めている。ＭＩＭＯ伝送では、送信側および受信側の双方に複数のアンテナを設け、無線送受信間の空間に複数の伝搬路を用意し、各伝搬路を空間的に多重することにより、スループットを増大させることができる。【０００３】
また、ＭＩＭＯ伝送の周辺要素技術として、アンテナ毎に異なる循環遅延を与えた信号を複数のアンテナから同時に送信することで等価的に遅延パス数を増加させてフェージングチャネルの周波数選択性を高める循環遅延ダイバーシチ（ＣＤＤ：Cyclic Delay Diversity）技術が検討されている（例えば、非特許文献１参照）。また、ＣＤＤには、循環遅延量が小さいＳＤ−ＣＤＤ（Small Delay CDD）と循環遅延量が大きいＬＤ−ＣＤＤ（Large Delay CDD）の２種類のＣＤＤモードがある。【０００４】
循環遅延量が小さいＳＤ−ＣＤＤでは、全リソースブロック（ＲＢ：Resource Block）に渡りフェージングチャネル変動が緩慢になる。このＳＤ−ＣＤＤを周波数スケジューリングに適用することにより、大きい周波数スケジューリング利得を得ることができ、最大限のマルチユーザダイバーシチ効果を得ることができる。ＳＤ−ＣＤＤは、主に、無線通信移動局装置（以下、移動局と省略する）の低速移動時のデータ通信に適した方式である。これに対し、循環遅延量が大きいＬＤ−ＣＤＤでは、ＲＢ内においてフェージングチャネル変動が大きくなるため、大きい周波数ダイバーシチ利得を得ることができる。ＬＤ−ＣＤＤは、移動速度が極めて速い移動局のように、周波数スケジューリング送信が適用困難な移動局に対して有効な方式である。【０００５】
また、ＭＩＭＯ伝送の周辺要素技術として、リンクアダプテーション技術がある。リンクアダプテーション技術は、送受信間の伝搬路の回線品質に応じて、符号化率および変調方式を示すＭＣＳ（Modulation and Coding Scheme）レベルを適応的に制御する技術である。移動体通信システムにリンクアダプテーション技術を適用する場合、各移動局は、ＲＢ毎に共通参照信号のＳＩＮＲ（Signal to Interference and Noise）を測定し、測定したＳＩＮＲに対応する回線品質情報であるＣＱＩ（Channel Quality Indicator）を生成する。そして、各移動局は、ＲＢ毎に生成した複数のＣＱＩのうち高いレベルのＣＱＩを所定の数だけ無線通信基地局装置（以下、基地局と省略する）に報告する。基地局は各移動局からのＣＱＩに基づいて所定のスケジューリングアルゴリズムに従って、各移動局が使用するＭＣＳレベルを決定する。
【非特許文献１】3GPP RAN WG1 LTE Adhoc meeting (2006.01) R1-060011 “Cyclic Shift Diversity for E-UTRA DL Control Channels & TP”
【発明の開示】
【発明が解決しようとする課題】
【０００６】
ＳＤ−ＣＤＤまたはＬＤ−ＣＤＤのＣＤＤモードの選択は移動局毎に行われるため、全移動局に対し共通である共通参照信号に対してはＣＤＤを適用することができない。よって、共通参照信号のＳＩＮＲには、ＣＤＤによるフェージングチャネル（以下、ＣＤＤチャネルという）の影響が反映されていない。【０００７】
移動局では、データ信号のＣＤＤモードを基地局より通知されるため、共通参照信号にデータ信号と同一循環遅延量を与えることにより、共通参照信号のＳＩＮＲの測定にデータ信号のＣＤＤチャネルの影響を反映させることができる。しかし、他セルからの干渉信号のＣＤＤモードの移動局への通知は行われないため、移動局では干渉信号のＣＤＤモードが分からず、共通参照信号のＳＩＮＲの測定に干渉信号のＣＤＤチャネルの影響を反映させることができない。【０００８】
よって、移動局では、共通参照信号のＳＩＮＲとデータ信号のＳＩＮＲとの間の誤差を無くすために、他セルからの干渉信号のＣＤＤモードを正確に判定する必要がある。【０００９】
本発明の目的は、ＣＤＤを用いる場合に他セルからの干渉信号のＣＤＤモードを正確に判定することができる移動局およびＣＤＤモード判定方法を提供することである。
【課題を解決するための手段】
【００１０】
本発明の移動局は、循環遅延ダイバーシチ送信されたマルチキャリア信号を受信する受信手段と、前記マルチキャリア信号において、複数の第１サブキャリアに配置された第１信号群の回線品質および前記複数の第１サブキャリアと異なる複数の第２サブキャリアに配置された第２信号群の回線品質を測定する測定手段と、前記第１信号群の回線品質と前記第２信号群の回線品質との差に基づいて、他セルからの干渉信号のＣＤＤモードを判定する判定手段と、を具備する構成を採る。
【発明の効果】
【００１１】
本発明によれば、ＣＤＤを用いる場合に他セルからの干渉信号のＣＤＤモードを正確に判定することができる。
【図面の簡単な説明】
【００１２】
【図１】本発明の実施の形態１に係る移動局のブロック構成図
【図２】本発明の実施の形態１に係るシンボル配置を示す図（循環遅延シフトサンプル数：Ｎ／２）
【図３】本発明の実施の形態１に係る周波数特性を示す図（他セルがＳＤ−ＣＤＤの場合）
【図４】本発明の実施の形態１に係る周波数特性を示す図（他セルがＬＤ−ＣＤＤの場合）
【図５】本発明の実施の形態１に係るモード判定部の処理フローを示す図
【図６Ａ】本発明の実施の形態１に係るフィードバック情報を示す図（他セルがＬＤ−ＣＤＤの場合）
【図６Ｂ】本発明の実施の形態１に係るフィードバック情報を示す図（他セルがＳＤ−ＣＤＤの場合：生成例１）
【図６Ｃ】本発明の実施の形態１に係るフィードバック情報を示す図（他セルがＳＤ−ＣＤＤの場合：生成例２）
【図６Ｄ】本発明の実施の形態１に係るフィードバック情報を示す図（他セルがＳＤ−ＣＤＤの場合：生成例３）
【図７】本発明の実施の形態１に係る基地局のブロック構成図
【図８Ａ】本発明の各実施の形態に係るシンボル配置を示す図（配置例１）
【図８Ｂ】本発明の各実施の形態に係るシンボル配置を示す図（配置例２）
【図８Ｃ】本発明の各実施の形態に係るシンボル配置を示す図（配置例３）
【図９】本発明の実施の形態２に係る移動局のブロック構成図
【図１０】本発明の実施の形態２に係る基地局のブロック構成図
【図１１】本発明の実施の形態２に係るシンボル配置を示す図（循環遅延シフトサンプル数：Ｎ／２）
【図１２Ａ】本発明の各実施の形態に係るシンボル配置を示す図（循環遅延シフトサンプル数：Ｎ／３）
【図１２Ｂ】本発明の各実施の形態に係るシンボル配置を示す図（循環遅延シフトサンプル数：Ｎ／４）
【図１２Ｃ】本発明の各実施の形態に係るシンボル配置を示す図（循環遅延シフトサンプル数：Ｎ／５）
【発明を実施するための最良の形態】
【００１３】
以下、本発明の実施の形態について、図面を参照して詳細に説明する。【００１４】
（実施の形態１）
本実施の形態では、複数のデータ信号で構成されるＣＤＤチャネル推定用信号ペアを用いて他セルからの干渉信号のＣＤＤモードを判定する。【００１５】
本実施の形態に係る移動局１００の構成を図１に示す。【００１６】
図１に示す移動局１００において、無線受信部１０２−１、ＣＰ除去部１０３−１およびＦＦＴ部１０４−１はアンテナ１０１−１に対応して備えられる。また、無線受信部１０２−２、ＣＰ除去部１０３−２およびＦＦＴ部１０４−２はアンテナ１０１−２に対応して備えられる。【００１７】
無線受信部１０２−１および無線受信部１０２−２は、後述する基地局から送信されたマルチキャリア信号であるＯＦＤＭシンボルをアンテナ１０１−１およびアンテナ１０１−２を介してそれぞれ受信し、このＯＦＤＭシンボルに対してダウンコンバート、Ａ／Ｄ変換等の受信処理を施す。そして、無線受信部１０２−１および無線受信部１０２−２は、無線受信処理後のＯＦＤＭシンボルをＣＰ除去部１０３−１およびＣＰ除去部１０３−２にそれぞれ出力する。このＯＦＤＭシンボルには、データシンボル、共通参照信号および制御信号が含まれる。また、このＯＦＤＭシンボルは、伝搬路において、他セルからの信号により干渉を受ける。【００１８】
ＣＰ除去部１０３−１およびＣＰ除去部１０３−２は、無線受信部１０２−１および無線受信部１０２−２からそれぞれ入力されるＯＦＤＭシンボルからＣＰを除去する。そして、ＣＰ除去部１０３−１およびＣＰ除去部１０３−２は、ＣＰ除去後のＯＦＤＭシンボルをＦＦＴ（Fast Fourier Transform）部１０４−１およびＦＦＴ部１０４−２へそれぞれ出力する。【００１９】
ＦＦＴ部１０４−１およびＦＦＴ部１０４−２は、ＣＰ除去部１０３−１およびＣＰ除去部１０３−２からそれぞれ入力されるＯＦＤＭシンボルに対してＦＦＴ処理を施し、時間領域の信号を周波数領域の信号に変換する。そして、ＦＦＴ部１０４−１およびＦＦＴ部１０４−２は、ＦＦＴ後の信号を分離部１０５へ出力する。【００２０】
分離部１０５は、ＦＦＴ部１０４−１およびＦＦＴ部１０４−２からそれぞれ入力されるＦＦＴ後の信号をデータシンボルと、共通参照信号と、制御信号とに分離する。そして、分離部１０５は、データシンボルを復調部１０６へ出力し、共通参照信号をＳＩＮＲ測定部１０８へ出力し、制御信号を復調部１０６、復号部１０７およびＳＩＮＲ測定部１０８へ出力する。【００２１】
復調部１０６は、分離部１０５から入力されるデータシンボルを分離部１０５から入力される制御信号により示される変調方式に従って復調する。そして、復調部１０６は、復調後のデータ信号を復号部１０７およびモード判定部１１０へ出力する。【００２２】
復号部１０７は、復調部１０６から入力されるデータ信号を分離部１０５から入力される制御信号により示される符号化率に従って復号する。そして、復号部１０７は、復号後のデータ信号を受信データとして出力する。【００２３】
ＳＩＮＲ測定部１０８は、分離部１０５から入力される共通参照信号のＳＩＮＲを、制御信号により示されるＣＤＤモードに基づいて測定する。具体的には、ＳＩＮＲ測定部１０８は、制御信号により示されるＣＤＤモードでの循環遅延を共通参照信号に対して施し、循環遅延後の共通参照信号のＳＩＮＲを測定する。そして、ＳＩＮＲ測定部１０８は、測定されたＳＩＮＲをＣＱＩ生成部１０９へ出力する。【００２４】
ＣＱＩ生成部１０９は、ＳＩＮＲ測定部１０８から入力されるＳＩＮＲに対応するＣＱＩ（以下、ＣＱＩｒｅｆと称する）を生成する。そして、ＣＱＩ生成部１０９は、ＣＱＩｒｅｆをフィードバック情報生成部１１１へ出力する。【００２５】
モード判定部１１０は、他セルからの干渉信号のＣＤＤモードを判定する。具体的には、まず、モード判定部１１０は、いくつかのデータ信号をＣＤＤチャネル推定用信号として指定する。次いで、モード判定部１１０は、ＣＤＤチャネル推定用信号毎にＳＩＮＲを測定する。そして、モード判定部１１０は、それぞれが２つのＣＤＤチャネル推定用信号から構成される複数のＣＤＤチャネル推定用信号ペア毎の平均ＳＩＮＲの差分に基づいて、他セルからの干渉信号のＣＤＤモードを判定する。モード判定部１１０は、判定結果がＳＤ−ＣＤＤの場合、全ＣＤＤチャネル推定用信号の平均ＳＩＮＲに対応するＣＱＩ（以下、ＣＱＩＣＤＤと称する）をフィードバック情報生成部１１１に出力する。一方、モード判定部１１０は、判定結果がＬＤ−ＣＤＤの場合、何も出力せずに処理を完了する。モード判定部１１０におけるモード判定処理の詳細については後述する。【００２６】
フィードバック情報生成部１１１は、モード判定部１１０からＣＱＩＣＤＤが入力される場合、ＣＱＩＣＤＤおよびＣＱＩ生成部１０９から入力されるＣＱＩｒｅｆを用いてフィードバック情報を生成する。一方、フィードバック情報生成部１１１は、モード判定部１１０からＣＱＩＣＤＤが入力されない場合、ＣＱＩｒｅｆを用いてフィードバック情報を生成する。そして、フィードバック情報生成部１１１は、生成したフィードバック情報を後述する基地局へフィードバックする。フィードバック情報生成部１１１におけるフィードバック情報生成処理の詳細については後述する。【００２７】
次に、モード判定部１１０におけるモード判定処理の詳細について説明する。なお、自局のＣＤＤモードがＬＤ−ＣＤＤである場合、ＣＤＤチャネル変動が大きく、干渉電力を平均化する無線帯域幅が大きくなるため、サブキャリア毎の干渉電力の平均化効果が大きくなる。よって、自局のＣＤＤモードがＬＤ−ＣＤＤである場合には、他セルからの干渉信号のＣＤＤモードがＬＤ−ＣＤＤまたはＳＤ−ＣＤＤのいずれの場合でも、ＣＱＩ生成部１０９は共通参照信号により正確なＣＱＩを生成することができる。よって、自局のＣＤＤモードがＬＤ−ＣＤＤである場合は、モード判定部１１０は他セルからの干渉信号のＣＤＤモードを判定する必要がない。よって、モード判定部１１０は、自局のＣＤＤモードがＳＤ−ＣＤＤである場合にのみモード判定処理を行う。そこで、以下の説明では、自局のＣＤＤモードがＳＤ−ＣＤＤである場合についてのみ説明する。【００２８】
図２に１２個のサブキャリアｆ１〜ｆ１２からなるＲＢを示す。図２に示すように、各サブキャリアには、アンテナ１０１−１用共通参照信号、アンテナ１０１−２用共通参照信号またはデータ信号のいずれかが配置される。また、ここでは、循環遅延シフトサンプル数をＮ／２とする。ここで、Ｎは１ＲＢあたりのサブキャリア数である。よって、図２においてはＮ＝１２となる。【００２９】
モード判定部１１０は、図２に示すＲＢにおいて、時刻ｔ７のｆ２，ｆ３，ｆ８およびｆ９に配置されたデータ信号をＣＤＤチャネル推定用信号に指定する。また、モード判定部１１０は、ｆ２およびｆ３に配置された２つのＣＤＤチャネル推定用信号を一方のＣＤＤチャネル推定信号ペアとし、ｆ８およびｆ９に配置された２つのＣＤＤチャネル推定用信号を他方のＣＤＤチャネル推定用信号ペアとする。なお、共通参照信号を用いたＣＤＤチャネル推定の誤差を低減するために、共通参照信号の配置位置付近にＣＤＤチャネル推定用信号を配置することが好ましい。【００３０】
ここで、モード判定部１１０は、以下の条件１〜３に従ってＣＤＤチャネル推定用信号ペアを指定する。ここでは、ＳＤ−ＣＤＤのＣＤＤチャネル変動周期をΔｆＳＤとし、ＬＤ−ＣＤＤのＣＤＤチャネル変動周期をΔｆＬＤとする。【００３１】
＜条件１＞
ＣＤＤチャネル推定用信号ペアを構成するデータ信号間の周波数間隔Δｆ１は、次式（１）により決定される。
【数１】
2008149533.tif 000003
すなわち、Δｆ１はＬＤ−ＣＤＤのＣＤＤチャネル変動周期の半周期分の間隔に設定される。これにより、ＬＤ−ＣＤＤのＣＤＤチャネルにおいて互いに逆位相の２つのＣＤＤチャネル推定用信号がペアになるため、モード判定部１１０は、ＬＤ−ＣＤＤのＣＤＤチャネル変動全体を反映したＣＤＤチャネル推定を行うことができる。【００３２】
＜条件２＞
ＣＤＤチャネル推定用信号ペアは、１ＲＢ内に最低２ペア以上配置される。これは、モード判定部１１０が、ＲＢ内の互いに異なるＣＤＤチャネル推定用信号ペアを用いてＣＤＤモードの判定を行うためである。【００３３】
＜条件３＞
互いに異なるＣＤＤチャネル推定用信号ペアの間の周波数間隔Δｆ２は、次式（２）により決定される。
【数２】
2008149533.tif 000004
ここで、ｍはΔｆ１とΔｆ２との間の関係から決定される自然数である。すなわち、Δｆ２はΔｆ１の整数倍であり、かつ、ＳＤ−ＣＤＤのＣＤＤチャネル変動周期の半周期よりも十分に短い間隔に設定される。これにより、互いに異なるＣＤＤチャネル推定用信号ペアは、ＳＤ−ＣＤＤのＣＤＤチャネル変動周期において、ほぼ同位相の位置に配置される。【００３４】
このように、モード判定部１１０は、予め配置位置を指定されたＣＤＤチャネル推定用信号を用いて他セルからの干渉信号のＣＤＤモードを判定する。【００３５】
以下、図３および図４を用いて具体的に説明する。なお、図３に示す周波数特性は他セルからの干渉信号のＣＤＤモードがＳＤ−ＣＤＤの場合であり、図４に示す周波数特性は他セルからの干渉信号のＣＤＤモードがＬＤ−ＣＤＤの場合である。また、図３および図４に示すＲＢ２において、ｔ７のｆ１４，ｆ１５，ｆ２０およびｆ２１にＣＤＤチャネル推定用信号が配置される。また、図３および図４に示すように、ｆ１４に配置されたＣＤＤチャネル推定用信号とｆ１５に配置されたＣＤＤチャネル推定用信号とから一方のＣＤＤチャネル推定用信号ペアが構成され、ｆ２０に配置されたＣＤＤチャネル推定用信号とｆ２１に配置されたＣＤＤチャネル推定用信号とから他方のＣＤＤチャネル推定用信号ペアが構成される。【００３６】
まず、モード判定部１１０は、ＣＤＤチャネル推定用信号毎のＳＩＮＲを測定する。具体的には、モード判定部１１０は、図３および図４に示すＲＢ２において、ｆ１４，ｆ１５，ｆ２０およびｆ２１に配置されたＣＤＤチャネル推定用信号のＳＩＮＲを測定する。ここでは、ｆ１４，ｆ１５，ｆ２０およびｆ２１に配置されたＣＤＤチャネル推定用信号のＳＩＮＲをそれぞれＳＩＮＲ１４，ＳＩＮＲ１５，ＳＩＮＲ２０およびＳＩＮＲ２１とする。【００３７】
次いで、モード判定部１１０は、次式（３）上段を用いてＣＤＤチャネル推定用信号ペアの平均ＳＩＮＲであるＳＩＮＲｉ（ａｖｅ）をそれぞれ算出する。
【数３】
2008149533.tif 000005
ここで、ｉはＲＢ内のＣＤＤチャネル推定用信号ペア番号であり、ｋはサブキャリア番号であり、ΔｋはΔｆ１をサブキャリア帯域幅で正規化したものである。具体的には、モード判定部１１０は、図３および図４に示すＲＢ２において、ＳＩＮＲ１４とＳＩＮＲ１５とからＳＩＮＲ１（ａｖｅ）を算出し、ＳＩＮＲ２０とＳＩＮＲ２１とからＳＩＮＲ２（ａｖｅ）を算出する。また、モード判定部１１０は、式（３）の下段を用いてＳＩＮＲｉ（ａｖｅ）を算出してもよい。式（３）下段に示すＳｋはサブキャリアｋにおける所望電力であり、Ｉｋはサブキャリアｋにおける他セルからの干渉電力である。すなわち、モード判定部１１０は、所望電力Ｓ１４，Ｓ１５と干渉電力Ｉ１４，Ｉ１５とからＳＩＮＲ１（ａｖｅ）を算出し、所望電力Ｓ２０，Ｓ２１と干渉電力Ｉ２０，Ｉ２１とからＳＩＮＲ２（ａｖｅ）を算出してもよい。【００３８】
そして、モード判定部１１０は、互いに異なるＣＤＤチャネル推定用信号ペア間の平均ＳＩＮＲの差ΔＳＩＮＲを次式（４）より算出する。
【数４】
2008149533.tif 000006
【００３９】
ここで、他セルからの干渉信号のＣＤＤモードがＳＤ−ＣＤＤである場合（図３）のΔＳＩＮＲより、他セルからの干渉信号のＣＤＤモードがＬＤ−ＣＤＤである場合（図４）のΔＳＩＮＲは小さくなり、ほぼゼロとなる。【００４０】
他セルからの干渉信号のＣＤＤモードがＳＤ−ＣＤＤである場合（図３）、１ＲＢ内に配置された互いに異なるＣＤＤチャネル推定用信号ペアは、ＳＤ−ＣＤＤのＣＤＤチャネル変動周期の半周期よりも十分小さい周波数間隔でそれぞれ配置される。これより、互いに異なるＣＤＤチャネル推定用信号ペアを構成するＣＤＤチャネル推定用信号は、ＳＤ−ＣＤＤのＣＤＤチャネル変動周期の山の部分付近または谷の部分付近に位置する場合を除いて互いに異なる値となる場合が多くなる。具体的には、図３に示すように、ｆ１４（ｆ１５）に配置されたＣＤＤチャネル推定用信号とｆ２０（ｆ２１）に配置されたＣＤＤチャネル推定用信号との間はＳＤ−ＣＤＤのＣＤＤチャネル変動周期の１／６周期分しか離れていない。よって、図３に示すＳＩＮＲ特性において、ＳＩＮＲ１４（ＳＩＮＲ１５）およびＳＩＮＲ２０（ＳＩＮＲ２１）は双方ともＳＤ−ＣＤＤのＣＤＤチャネル変動周期の山の部分と谷の部分との間のいずれかに位置する。つまり、ＳＩＮＲ１４（ＳＩＮＲ１５）とＳＩＮＲ２０（ＳＩＮＲ２１）とは互いに異なる値となる。つまり、ＳＩＮＲ１（ａｖｅ）とＳＩＮＲ２（ａｖｅ）とは互いに異なる値となる。【００４１】
一方、他セルからの干渉信号のＣＤＤモードがＬＤ−ＣＤＤである場合（図４）、１ＲＢ内に配置された互いに異なるＣＤＤチャネル推定用信号ペアは、ＬＤ−ＣＤＤのＣＤＤチャネル変動周期の半周期の周波数間隔でそれぞれ配置される。これより、互いに異なるＣＤＤチャネル推定用信号ペアの平均ＳＩＮＲはほぼ同じ値となる。具体的には、図４に示すように、ｆ１４（ｆ１５）に配置されたＣＤＤチャネル推定用信号とｆ２０（ｆ２１）に配置されたＣＤＤチャネル推定用信号との間は、ＬＤ−ＣＤＤのＣＤＤチャネル変動周期の３周期分離れている。よって、図４に示すＳＩＮＲ特性において、ＳＩＮＲ１４（ＳＩＮＲ１５）およびＳＩＮＲ２０（ＳＩＮＲ２１）は双方ともＬＤ−ＣＤＤのＣＤＤチャネル変動周期の山の部分（チャネル変動周期の谷の部分）に位置する。すなわち、ＳＩＮＲ１４（ＳＩＮＲ１５）とＳＩＮＲ２０（ＳＩＮＲ２１）とはほぼ同じ値となり、ＳＩＮＲ１（ａｖｅ）とＳＩＮＲ２（ａｖｅ）とはほぼ同じ値となる。【００４２】
このように、他セルからの干渉信号のＣＤＤモードがＳＤ−ＣＤＤであるか、ＬＤ−ＣＤＤであるかによって、ΔＳＩＮＲの値に差が生じる。【００４３】
そこで、モード判定部１１０は、算出されたΔＳＩＮＲに基づいて他セルからの干渉信号のＣＤＤモードを判定する。具体的には、モード判定部１１０は、次式（５）に従って他セルからの干渉信号のＣＤＤモードを判定する。
【数５】
2008149533.tif 000007
ここで、ＳＩＮＲｔｈは、ＣＤＤモードの判定閾値である。すなわち、モード判定部１１０は、ΔＳＩＮＲがＳＩＮＲｔｈ以上の場合（図３の場合）は他セルからの干渉信号のＣＤＤモードをＳＤ−ＣＤＤと判定する一方、ΔＳＩＮＲがＳＩＮＲｔｈ未満の場合（図４の場合）は他セルからの干渉信号のＣＤＤモードをＬＤ−ＣＤＤと判定する。【００４４】
そして、モード判定部１１０は、他セルからの干渉信号のＣＤＤモードの判定結果がＳＤ−ＣＤＤの場合のみ、ＣＤＤチャネル推定用信号を用いて平均ＳＩＮＲを算出する。具体的には、モード判定部１１０は、図３において、次式（６）よりＳＩＮＲＣＤＤを算出する。
【数６】
2008149533.tif 000008
ここで、ＣＤＤモードの判定結果がＬＤ−ＣＤＤである場合、図４に示すように、ＣＤＤチャネル変動が大きいため、サブキャリア毎の干渉電力の平均化効果が大きくなる。つまり、平均の干渉電力は他セルがＬＤ−ＣＤＤを行わない場合と同一となる。よって、ＣＤＤモードの判定結果がＬＤ−ＣＤＤである場合は共通参照信号を用いたＣＤＤチャネル推定の補正は不要となる。【００４５】
そして、モード判定部１１０は、ＳＩＮＲＣＤＤに対応するＣＱＩＣＤＤを生成する。【００４６】
次に、モード判定部１１０の処理フローについて図５のフローチャートを用いて説明する。【００４７】
ＳＴ（ステップ）１０１において、モード判定部１１０は、ＣＤＤチャネル推定用信号毎のＳＩＮＲを測定する。【００４８】
ＳＴ１０２では、モード判定部１１０は、ＣＤＤチャネル推定用信号ペアの平均ＳＩＮＲを算出する。【００４９】
ＳＴ１０３では、モード判定部１１０は、ＲＢ内の互いに異なるＣＤＤチャネル推定用信号ペアの平均ＳＩＮＲの差を算出する。【００５０】
ＳＴ１０４では、モード判定部１１０は、ＳＴ１０３で算出された平均ＳＩＮＲの差と閾値とを比較してＣＤＤモードの判定を行う。【００５１】
モード判定部１１０は、ＳＴ１０４での判定結果がＳＤ−ＣＤＤであった場合（ＳＴ１０５：ＹＥＳ）、ＳＴ１０６で、全ＣＤＤチャネル推定用信号を用いて平均ＳＩＮＲを測定する。【００５２】
ＳＴ１０７では、モード判定部１１０は、測定された平均ＳＩＮＲに対応するＣＱＩＣＤＤを生成する。【００５３】
一方、モード判定部１１０は、ＳＴ１０４での判定結果がＬＤ−ＣＤＤであった場合（ＳＴ１０５：ＮＯ）、モード判定処理を終了する。【００５４】
次に、フィードバック情報生成部１１１におけるフィードバック情報生成処理の詳細について説明する。【００５５】
フィードバック情報生成部１１１は、モード判定部１１０からＣＱＩＣＤＤが入力されない場合、図６Ａに示すように、従来と同様にしてＣＱＩｒｅｆを用いてフィードバック情報を生成する。【００５６】
一方、フィードバック情報生成部１１１は、モード判定部１１０からＣＱＩＣＤＤが入力された場合、ＣＱＩｒｅｆまたはＣＱＩＣＤＤを用いてフィードバック情報を生成する。以下、モード判定部１１０からＣＱＩＣＤＤが入力された場合のフィードバック情報生成部１１１でのフィードバック情報生成例１〜３について説明する。【００５７】
＜フィードバック情報生成例１（図６Ｂ）＞
本生成例では、図６Ｂに示すように、フィードバック情報生成部１１１は、ＣＱＩＣＤＤを用いてフィードバック情報を生成する。これにより、他セルのＣＤＤチャネルにおける干渉の影響をＣＱＩに反映することができるため、基地局では、より正確なスケジューリングを行うことができる。また、本生成例では、図６Ａに示すＣＱＩｒｅｆをＣＱＩＣＤＤに変更することのみでフィードバック情報を生成することができるため、本生成例によれば従来同様のフォーマットによりフィードバック情報を生成することができる。【００５８】
＜フィードバック情報生成例２（図６Ｃ）＞
本生成例では、フィードバック情報生成部１１１は、ＣＱＩｒｅｆとＣＱＩＣＤＤとの差ΔＣＱＩを算出し、図６Ｃに示すように、ＣＱＩｒｅｆおよびΔＣＱＩを用いてフィードバック情報を生成する。ここで、ΔＣＱＩは符号（＋または−）と絶対値とで表される。これにより、ΔＣＱＩによってＣＱＩｒｅｆを補正してＣＱＩｒｅｆの精度を高めることができるため、基地局では、より正確なスケジューリングを行うことができる。【００５９】
＜フィードバック情報生成例３（図６Ｄ）＞
本生成例では、フィードバック情報生成部１１１は、図６Ｄに示すように、ＣＱＩｒｅｆおよびΔＣＱＩの符号を用いてフィードバック情報を生成する。ＣＱＩレベルの補正量を予め設定することで、基地局ではΔＣＱＩの符号に応じてＣＱＩｒｅｆをその補正量だけ増加または減少させる。これにより、基地局は、フィードバック情報生成例２よりも少ないフィードバック情報でＣＱＩｒｅｆを補正することができる。【００６０】
以上、モード判定部１１０からＣＱＩＣＤＤが入力された場合のフィードバック情報生成部１１１でのフィードバック情報生成例１〜３について説明した。【００６１】
次に、本実施の形態に係る基地局２００の構成を図７に示す。【００６２】
送信パラメータ選択部２０１は、移動局１００からのフィードバック情報に含まれるＣＱＩに基づいて、各移動局への送信データに対するＭＣＳレベル（符号化率および変調方式）およびＣＤＤモード（ＳＤ−ＣＤＤまたはＬＤ−ＣＤＤ）を選択する。また、送信パラメータ選択部２０１は、選択されたＭＣＳレベルおよびＣＤＤモードを示す制御信号を生成する。そして、送信パラメータ選択部２０１は、ＭＣＳレベルを符号化部２０２および変調部２０３へ出力し、ＣＤＤモードを循環遅延部２０４へ出力し、制御信号を多重部２０５へ出力する。【００６３】
符号化部２０２は、送信データを送信パラメータ選択部２０１から入力される符号化率に従って符号化する。そして、符号化部２０２は、符号化後の送信データを変調部２０３へ出力する。【００６４】
変調部２０３は、符号化部２０２から入力される符号化後の送信データを送信パラメータ選択部２０１から入力される変調方式に従って変調してデータシンボルを生成する。そして、変調部２０３は、データシンボルを循環遅延部２０４へ出力する。【００６５】
循環遅延部２０４は、変調部２０３から入力されるデータシンボルに対して、送信パラメータ選択部２０１から入力されるＣＤＤモードに従って循環遅延を行う。そして、循環遅延部２０４は、循環遅延後のデータシンボルを多重部２０５へ出力する。【００６６】
多重部２０５は、共通参照信号と、送信パラメータ選択部２０１から入力される制御信号と、循環遅延部２０４から入力されるデータシンボルとを多重する。そして、多重部２０５は、多重された直列の信号を２系列の並列の信号に変換し、これらの並列の信号を複数のＲＢのいずれかに配置する。そして、多重部は、ＲＢに配置された系列毎の信号をＩＦＦＴ（Inverse Fast Fourier Transform）部２０６−１およびＩＦＦＴ部２０６−２へそれぞれ出力する。【００６７】
ＩＦＦＴ部２０６−１、ＣＰ付加部２０７−１および無線送信部２０８−１はアンテナ２０９−１に対応して備えられる。また、ＩＦＦＴ部２０６−２、ＣＰ付加部２０７−２および無線送信部２０８−２はアンテナ２０９−２に対応して備えられる。【００６８】
ＩＦＦＴ部２０６−１およびＩＦＦＴ部２０６−２は、多重部２０５から入力される信号が配置されたサブキャリアに対してＩＦＦＴ処理を施して、周波数領域の信号を時間領域の信号に変換し、ＯＦＤＭシンボルを生成する。そして、ＩＦＦＴ部２０６−１およびＩＦＦＴ部２０６−２は、ＯＦＤＭシンボルをＣＰ付加部２０７−１およびＣＰ付加部２０７−２へそれぞれ出力する。【００６９】
ＣＰ付加部２０７−１およびＣＰ付加部２０７−２は、各ＯＦＤＭシンボルの後尾部分と同じ信号をＣＰとして各ＯＦＤＭシンボルの先頭に付加する。そして、ＣＰ付加部２０７−１およびＣＰ付加部２０７−２は、ＣＰ付加後のＯＦＤＭシンボルを無線送信部２０８−１および無線送信部２０８−２へそれぞれ出力する。【００７０】
無線送信部２０８−１および２０８−２は、ＣＰ付加後のＯＦＤＭシンボルに対しＤ／Ａ変換、増幅およびアップコンバート等の送信処理を行って、送信処理後のＯＦＤＭシンボルをアンテナ２０９−１および２０９−２から同時に送信する。これにより、複数のＯＦＤＭシンボルが複数のアンテナよりＣＤＤ送信される。【００７１】
このように、本実施の形態によれば、データ信号をＣＤＤチャネル推定用信号として用いて、ＣＤＤモードの相違に起因するＣＤＤチャネル変動の差異を判断することができるため、ＣＤＤを用いる場合でも他セルからの干渉信号のＣＤＤモードを正確に判定することができる。これにより、ＣＤＤチャネルの回線品質を正確に測定することができるため、適切なＣＱＩを確実に生成することができる。【００７２】
なお、本実施の形態では、図２に示すように、ＣＤＤチャネル推定用信号ペアを構成する複数のＣＤＤチャネル推定用信号をｔ７の同一時刻に配置した。しかし、ＣＤＤチャネル推定用信号ペアを構成する複数のＣＤＤチャネル推定用信号は、必ずしも同一時刻に配置される必要はなく、共通参照信号の配置位置付近に配置されていればよい。例えば、図８Ａに示すように、ＣＤＤチャネル推定用信号ペアを構成する複数のＣＤＤチャネル推定用信号は、共通参照信号が配置されたｔ３とｔ７との間のｔ４およびｔ６にそれぞれ配置されてもよく、図８Ｂに示すように、共通参照信号が配置されたｔ３に配置されてもよく、また、図８Ｃに示すように、共通参照信号が配置されたｔ３およびｔ７にそれぞれ配置されてもよい。【００７３】
（実施の形態２）
本実施の形態は、複数の個別参照信号で構成されるＣＤＤチャネル推定用信号ペアを用いて他セルからの干渉信号のＣＤＤモードを判定する点において実施の形態１と相違する。【００７４】
図９に本実施の形態に係る移動局３００の構成を示す。図９において、実施の形態１（図１）と同一の構成部分には同一符号を付し説明を省略する。【００７５】
モード判定部３０１は、復調部１０６から入力されるデータ信号において、分離部１０５から入力される制御信号により示される配置情報に基づいて個別参照信号を特定する。そして、モード判定部３０１は、特定した個別参照信号を用いて、実施の形態１と同様に、他セルからの干渉信号のＣＤＤモードを判定する。【００７６】
次に、図１０に本実施の形態に係る基地局４００の構成を示す。図１０において、実施の形態１（図７）と同一の構成部分には同一符号を付し説明を省略する。【００７７】
指定部４０１は、送信パラメータ選択部２０１から入力される制御信号により示されるＣＤＤモードがＳＤ−ＣＤＤの場合、個別参照信号を循環遅延部２０４へ出力する。また、指定部４０１は、個別参照信号の配置位置を指定する。そして、指定部４０１は、送信パラメータ選択部２０１から入力される制御信号に個別参照信号の配置位置を示す配置情報を追加し、配置情報を追加した制御信号を多重部２０５へ出力する。【００７８】
一方、指定部４０１は、送信パラメータ選択部２０１から入力される制御信号により示されるＣＤＤモードがＬＤ−ＣＤＤの場合、送信パラメータ選択部２０１から入力される制御信号をそのまま多重部２０５へ出力する。【００７９】
循環遅延部２０４は、指定部４０１から入力される個別参照信号に対して、送信パラメータ選択部２０１から入力されるＣＤＤモードに従って循環遅延を行う。そして、循環遅延部２０４は、循環遅延後の個別参照信号を多重部２０５へ出力する。【００８０】
多重部２０５は、指定部４０１から入力される制御信号に含まれる配置情報に従って、循環遅延部２０４から入力される個別参照信号を複数のサブキャリアのいずれかに配置する。【００８１】
次に、指定部４０１において指定する個別参照信号の配置位置について説明する。【００８２】
図１１に示すように、例えば、指定部４０１は、ｔ５のｆ２，ｆ３，ｆ８およびｆ９に個別参照信号を配置するように指定する。ここでは、ｆ２に配置された個別参照信号とｆ３に配置された個別参照信号とから一方のＣＤＤチャネル推定用信号ペアが構成され、ｆ８に配置された個別参照信号とｆ９に配置された個別参照信号とから他方のＣＤＤチャネル推定用信号ペアが構成される。【００８３】
個別参照信号は基地局と移動局との間で既知であるため、本実施の形態におけるＣＤＤチャネル推定用信号は、実施の形態１のように共通参照信号の配置位置付近に配置されなくてもよい。そこで、図１１に示すように、指定部４０１は、周波数領域において共通参照信号の配置位置（ｆ１とｆ４またはｆ７とｆ１０）の中間（ｆ２とｆ３またはｆ８とｆ９）にＣＤＤチャネル推定用信号ペアの配置位置を指定し、時間領域において共通参照信号の配置位置（ｔ３とｔ７）の中間（ｔ５）にＣＤＤチャネル推定用信号ペアの配置位置を指定する。これにより、共通参照信号および個別参照信号が周波数領域および時間領域で分散して配置されるため、基地局と移動局との間で既知である参照信号と実際のデータ信号との推定誤差を低減することができる。【００８４】
このように、本実施の形態によれば、移動局と基地局との間で既知である個別参照信号を用いるため、実施の形態１よりも正確に他セルからの干渉信号のＣＤＤモードを判定することができる。これにより、実施の形態１よりも正確にＳＩＮＲを測定することができるため、実施の形態１よりもさらに精度の高いＣＱＩを生成することができる。【００８５】
以上、本発明の各実施の形態について説明した。【００８６】
なお、上記実施の形態では、図２および図１１に示すように、循環遅延シフトサンプル数がＮ／２の場合について説明した。しかし、本発明では、循環遅延シフトサンプル数はＮ／２に限らない。例えば、循環遅延シフトサンプル数がＮ／３の場合、ＣＤＤチャネル推定用信号ペアは図１２Ａに示すようにサブキャリア１つおきに配置される。また、循環遅延シフトサンプル数がＮ／４の場合、ＣＤＤチャネル推定用信号ペアは図１２Ｂに示すようにサブキャリア２つおきに配置される。また、循環遅延シフトサンプル数がＮ／５の場合、ＣＤＤチャネル推定用信号ペアは図１２Ｃに示すようにサブキャリア３つおきに配置される。【００８７】
また、ＣＤＤはＣＳＤ（Cyclic Shift Diversity）と称されることがある。また、ＣＰはガードインターバル（ＧＩ：Guard Interval）と称されることがある。また、サブキャリアはトーンと称されることがある。また、基地局はNode B、移動局はUEと表されることがある。【００８８】
また、上記実施の形態では、１つの送信データに対して１つのＲＢを使用する場合について説明した。しかし、本発明は、１つの送信データに対して複数のＲＢを使用する場合にも適用することができる。この場合、移動局は、複数のＲＢ毎にＣＱＩを生成して基地局にフィードバックしてもよく、複数のＲＢに対し１つのＣＱＩを生成して基地局にフィードバックしてもよい。また、１つの送信データが分割されて配置された複数のＲＢに対して同一のＣＱＩを用いる場合、基地局は、複数のＲＢのＣＱＩの平均値に従ってスケジューリングを行ってもよく、また、複数のＲＢのＣＱＩのうち最も低いＣＱＩに従ってスケジューリングを行ってもよい。【００８９】
また、上記実施の形態では、本発明をハードウェアで構成する場合を例にとって説明したが、本発明はソフトウェアで実現することも可能である。【００９０】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【００９１】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。【００９２】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。【００９３】
２００７年５月３１日出願の特願２００７−１４５８８２の日本出願に含まれる明細書、図面および要約書の開示内容は、すべて本願に援用される。
【産業上の利用可能性】
【００９４】
本発明は、移動体通信システム等に適用することができる。
【図１】
2008149533.tif 000009
【図２】
2008149533.tif 000010
【図３】
2008149533.tif 000011
【図４】
2008149533.tif 000012
【図５】
2008149533.tif 000013
【図６Ａ】
2008149533.tif 000014
【図６Ｂ】
2008149533.tif 000015
【図６Ｃ】
2008149533.tif 000016
【図６Ｄ】
2008149533.tif 000017
【図７】
2008149533.tif 000018
【図８Ａ】
2008149533.tif 000019
【図８Ｂ】
2008149533.tif 000020
【図８Ｃ】
2008149533.tif 000021
【図９】
2008149533.tif 000022
【図１０】
2008149533.tif 000023
【図１１】
2008149533.tif 000024
【図１２Ａ】
2008149533.tif 000025
【図１２Ｂ】
2008149533.tif 000026
【図１２Ｃ】
2008149533.tif 000027
【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
循環遅延ダイバーシチ送信されたマルチキャリア信号を受信する受信手段と、
前記マルチキャリア信号のチャネル変動量に基づいて、他セルからの干渉信号のＣＤＤモードを判定する判定手段と、
を具備する無線通信移動局装置。
【請求項２】
前記マルチキャリア信号において、複数の第１サブキャリアに配置された第１信号群の回線品質および前記複数の第１サブキャリアと異なる複数の第２サブキャリアに配置された第２信号群の回線品質を測定する測定手段、をさらに具備し、
前記判定手段は、前記第１信号群の回線品質と前記第２信号群の回線品質との差を前記チャネル変動量として用いる、
請求項１記載の無線通信移動局装置。
【請求項３】
前記判定手段は、前記差が閾値以上の場合は前記ＣＤＤモードをＳＤ−ＣＤＤであると判定し、前記差が前記閾値未満の場合は前記ＣＤＤモードをＬＤ−ＣＤＤであると判定する、
請求項２記載の無線通信移動局装置。
【請求項４】
前記第１信号群および前記第２信号群はそれぞれ複数のデータ信号で構成される、
請求項２記載の無線通信移動局装置。
【請求項５】
前記第１信号群および前記第２信号群はそれぞれ複数の個別参照信号で構成される、
請求項２記載の無線通信移動局装置。
【請求項６】
前記判定手段は、前記ＣＤＤモードをＳＤ−ＣＤＤであると判定する場合に、前記第１信号群および前記第２信号群の全ての信号から測定される回線品質に対応するＣＱＩを生成し、
前記ＣＱＩを用いてフィードバック情報を生成する生成手段、をさらに具備する、
請求項２記載の無線通信移動局装置。
【請求項７】
前記受信手段は、前記第１信号群の配置位置および前記第２信号群の配置位置を示す配置情報を受信し、
前記判定手段は、前記配置情報に基づいて前記第１信号群の配置位置および前記第２信号群の配置位置を特定する、
請求項２記載の無線通信移動局装置。
【請求項８】
循環遅延ダイバーシチ送信されたマルチキャリア信号のチャネル変動量に基づいて、他セルからの干渉信号のＣＤＤモードを判定する、
ＣＤＤモード判定方法。
【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
循環遅延ダイバーシチ送信されたマルチキャリア信号を受信する受信手段と、
前記マルチキャリア信号のチャネル変動量に基づいて、他セルからの干渉信号のＣＤＤモードを判定する判定手段と、
を具備する無線通信移動局装置。
【請求項２】
前記マルチキャリア信号において、複数の第１サブキャリアに配置された第１信号群の回線品質および前記複数の第１サブキャリアと異なる複数の第２サブキャリアに配置された第２信号群の回線品質を測定する測定手段、をさらに具備し、
前記判定手段は、前記第１信号群の回線品質と前記第２信号群の回線品質との差を前記チャネル変動量として用いる、
請求項１記載の無線通信移動局装置。
【請求項３】
前記判定手段は、前記差が閾値以上の場合は前記ＣＤＤモードをＳＤ−ＣＤＤであると判定し、前記差が前記閾値未満の場合は前記ＣＤＤモードをＬＤ−ＣＤＤであると判定する、
請求項２記載の無線通信移動局装置。
【請求項４】
前記第１信号群および前記第２信号群はそれぞれ複数のデータ信号で構成される、
請求項２記載の無線通信移動局装置。
【請求項５】
前記第１信号群および前記第２信号群はそれぞれ複数の個別参照信号で構成される、
請求項２記載の無線通信移動局装置。
【請求項６】
前記判定手段は、前記ＣＤＤモードをＳＤ−ＣＤＤであると判定する場合に、前記第１信号群および前記第２信号群の全ての信号から測定される回線品質に対応するＣＱＩを生成し、
前記ＣＱＩを用いてフィードバック情報を生成する生成手段、をさらに具備する、
請求項２記載の無線通信移動局装置。
【請求項７】
前記受信手段は、前記第１信号群の配置位置および前記第２信号群の配置位置を示す配置情報を受信し、
前記判定手段は、前記配置情報に基づいて前記第１信号群の配置位置および前記第２信号群の配置位置を特定する、
請求項２記載の無線通信移動局装置。
【請求項８】
循環遅延ダイバーシチ送信されたマルチキャリア信号のチャネル変動量に基づいて、他セルからの干渉信号のＣＤＤモードを判定する、
ＣＤＤモード判定方法。
【手続補正２】
【補正対象書類名】明細書
【補正対象項目名】全文
【補正方法】変更
【補正の内容】
【発明の詳細な説明】
【技術分野】
【０００１】
本発明は、無線通信移動局装置およびＣＤＤモード判定方法に関する。
【背景技術】
【０００２】
近年、高速大容量のデータ伝送を実現するための伝送技術の検討が行われており、複数のアンテナを用いたＭＩＭＯ（Multi Input Multi Output）伝送技術が注目を集めている。ＭＩＭＯ伝送では、送信側および受信側の双方に複数のアンテナを設け、無線送受信間の空間に複数の伝搬路を用意し、各伝搬路を空間的に多重することにより、スループットを増大させることができる。
【０００３】
また、ＭＩＭＯ伝送の周辺要素技術として、アンテナ毎に異なる循環遅延を与えた信号を複数のアンテナから同時に送信することで等価的に遅延パス数を増加させてフェージングチャネルの周波数選択性を高める循環遅延ダイバーシチ（ＣＤＤ：Cyclic Delay Diversity）技術が検討されている（例えば、非特許文献１参照）。また、ＣＤＤには、循環遅延量が小さいＳＤ−ＣＤＤ（Small Delay CDD）と循環遅延量が大きいＬＤ−ＣＤＤ（Large Delay CDD）の２種類のＣＤＤモードがある。
【０００４】
循環遅延量が小さいＳＤ−ＣＤＤでは、全リソースブロック（ＲＢ：Resource Block）に渡りフェージングチャネル変動が緩慢になる。このＳＤ−ＣＤＤを周波数スケジューリングに適用することにより、大きい周波数スケジューリング利得を得ることができ、最大限のマルチユーザダイバーシチ効果を得ることができる。ＳＤ−ＣＤＤは、主に、無線通信移動局装置（以下、移動局と省略する）の低速移動時のデータ通信に適した方式である。これに対し、循環遅延量が大きいＬＤ−ＣＤＤでは、ＲＢ内においてフェージングチャネル変動が大きくなるため、大きい周波数ダイバーシチ利得を得ることができる。ＬＤ−ＣＤＤは、移動速度が極めて速い移動局のように、周波数スケジューリング送信が適用困難な移動局に対して有効な方式である。
【０００５】
また、ＭＩＭＯ伝送の周辺要素技術として、リンクアダプテーション技術がある。リンクアダプテーション技術は、送受信間の伝搬路の回線品質に応じて、符号化率および変調方式を示すＭＣＳ（Modulation and Coding Scheme）レベルを適応的に制御する技術である。移動体通信システムにリンクアダプテーション技術を適用する場合、各移動局は、ＲＢ毎に共通参照信号のＳＩＮＲ（Signal to Interference and Noise）を測定し、測定したＳＩＮＲに対応する回線品質情報であるＣＱＩ（Channel Quality Indicator）を生成する。そして、各移動局は、ＲＢ毎に生成した複数のＣＱＩのうち高いレベルのＣＱＩを所定の数だけ無線通信基地局装置（以下、基地局と省略する）に報告する。基地局は各移動局からのＣＱＩに基づいて所定のスケジューリングアルゴリズムに従って、各移動局が使用するＭＣＳレベルを決定する。
【非特許文献１】3GPP RAN WG1 LTE Adhoc meeting (2006.01) R1-060011 “Cyclic Shift Diversity for E-UTRA DL Control Channels & TP”
【発明の開示】
【発明が解決しようとする課題】
【０００６】
ＳＤ−ＣＤＤまたはＬＤ−ＣＤＤのＣＤＤモードの選択は移動局毎に行われるため、全移動局に対し共通である共通参照信号に対してはＣＤＤを適用することができない。よって、共通参照信号のＳＩＮＲには、ＣＤＤによるフェージングチャネル（以下、ＣＤＤチャネルという）の影響が反映されていない。
【０００７】
移動局では、データ信号のＣＤＤモードを基地局より通知されるため、共通参照信号にデータ信号と同一循環遅延量を与えることにより、共通参照信号のＳＩＮＲの測定にデータ信号のＣＤＤチャネルの影響を反映させることができる。しかし、他セルからの干渉信号のＣＤＤモードの移動局への通知は行われないため、移動局では干渉信号のＣＤＤモードが分からず、共通参照信号のＳＩＮＲの測定に干渉信号のＣＤＤチャネルの影響を反映させることができない。
【０００８】
よって、移動局では、共通参照信号のＳＩＮＲとデータ信号のＳＩＮＲとの間の誤差を無くすために、他セルからの干渉信号のＣＤＤモードを正確に判定する必要がある。
【０００９】
本発明の目的は、ＣＤＤを用いる場合に他セルからの干渉信号のＣＤＤモードを正確に判定することができる移動局およびＣＤＤモード判定方法を提供することである。
【課題を解決するための手段】
【００１０】
本発明の移動局は、循環遅延ダイバーシチ送信されたマルチキャリア信号を受信する受信手段と、前記マルチキャリア信号において、複数の第１サブキャリアに配置された第１信号群の回線品質および前記複数の第１サブキャリアと異なる複数の第２サブキャリアに配置された第２信号群の回線品質を測定する測定手段と、前記第１信号群の回線品質と前記第２信号群の回線品質との差に基づいて、他セルからの干渉信号のＣＤＤモードを判定する判定手段と、を具備する構成を採る。
【発明の効果】
【００１１】
本発明によれば、ＣＤＤを用いる場合に他セルからの干渉信号のＣＤＤモードを正確に判定することができる。
【発明を実施するための最良の形態】
【００１２】
以下、本発明の実施の形態について、図面を参照して詳細に説明する。
【００１３】
（実施の形態１）
本実施の形態では、複数のデータ信号で構成されるＣＤＤチャネル推定用信号ペアを用いて他セルからの干渉信号のＣＤＤモードを判定する。
【００１４】
本実施の形態に係る移動局１００の構成を図１に示す。
【００１５】
図１に示す移動局１００において、無線受信部１０２−１、ＣＰ除去部１０３−１およびＦＦＴ部１０４−１はアンテナ１０１−１に対応して備えられる。また、無線受信部１０２−２、ＣＰ除去部１０３−２およびＦＦＴ部１０４−２はアンテナ１０１−２に対応して備えられる。
【００１６】
無線受信部１０２−１および無線受信部１０２−２は、後述する基地局から送信されたマルチキャリア信号であるＯＦＤＭシンボルをアンテナ１０１−１およびアンテナ１０１−２を介してそれぞれ受信し、このＯＦＤＭシンボルに対してダウンコンバート、Ａ／Ｄ変換等の受信処理を施す。そして、無線受信部１０２−１および無線受信部１０２−２は、無線受信処理後のＯＦＤＭシンボルをＣＰ除去部１０３−１およびＣＰ除去部１０３−２にそれぞれ出力する。このＯＦＤＭシンボルには、データシンボル、共通参照信号および制御信号が含まれる。また、このＯＦＤＭシンボルは、伝搬路において、他セルからの信号により干渉を受ける。
【００１７】
ＣＰ除去部１０３−１およびＣＰ除去部１０３−２は、無線受信部１０２−１および無線受信部１０２−２からそれぞれ入力されるＯＦＤＭシンボルからＣＰを除去する。そして、ＣＰ除去部１０３−１およびＣＰ除去部１０３−２は、ＣＰ除去後のＯＦＤＭシンボルをＦＦＴ（Fast Fourier Transform）部１０４−１およびＦＦＴ部１０４−２へそれぞれ出力する。
【００１８】
ＦＦＴ部１０４−１およびＦＦＴ部１０４−２は、ＣＰ除去部１０３−１およびＣＰ除去部１０３−２からそれぞれ入力されるＯＦＤＭシンボルに対してＦＦＴ処理を施し、時間領域の信号を周波数領域の信号に変換する。そして、ＦＦＴ部１０４−１およびＦＦＴ部１０４−２は、ＦＦＴ後の信号を分離部１０５へ出力する。
【００１９】
分離部１０５は、ＦＦＴ部１０４−１およびＦＦＴ部１０４−２からそれぞれ入力されるＦＦＴ後の信号をデータシンボルと、共通参照信号と、制御信号とに分離する。そして、分離部１０５は、データシンボルを復調部１０６へ出力し、共通参照信号をＳＩＮＲ測定部１０８へ出力し、制御信号を復調部１０６、復号部１０７およびＳＩＮＲ測定部１０８へ出力する。
【００２０】
復調部１０６は、分離部１０５から入力されるデータシンボルを分離部１０５から入力される制御信号により示される変調方式に従って復調する。そして、復調部１０６は、復調後のデータ信号を復号部１０７およびモード判定部１１０へ出力する。
【００２１】
復号部１０７は、復調部１０６から入力されるデータ信号を分離部１０５から入力される制御信号により示される符号化率に従って復号する。そして、復号部１０７は、復号後のデータ信号を受信データとして出力する。
【００２２】
ＳＩＮＲ測定部１０８は、分離部１０５から入力される共通参照信号のＳＩＮＲを、制御信号により示されるＣＤＤモードに基づいて測定する。具体的には、ＳＩＮＲ測定部１０８は、制御信号により示されるＣＤＤモードでの循環遅延を共通参照信号に対して施し、循環遅延後の共通参照信号のＳＩＮＲを測定する。そして、ＳＩＮＲ測定部１０８は、測定されたＳＩＮＲをＣＱＩ生成部１０９へ出力する。
【００２３】
ＣＱＩ生成部１０９は、ＳＩＮＲ測定部１０８から入力されるＳＩＮＲに対応するＣＱＩ（以下、ＣＱＩｒｅｆと称する）を生成する。そして、ＣＱＩ生成部１０９は、ＣＱＩｒｅｆをフィードバック情報生成部１１１へ出力する。
【００２４】
モード判定部１１０は、他セルからの干渉信号のＣＤＤモードを判定する。具体的には、まず、モード判定部１１０は、いくつかのデータ信号をＣＤＤチャネル推定用信号として指定する。次いで、モード判定部１１０は、ＣＤＤチャネル推定用信号毎にＳＩＮＲを測定する。そして、モード判定部１１０は、それぞれが２つのＣＤＤチャネル推定用信号から構成される複数のＣＤＤチャネル推定用信号ペア毎の平均ＳＩＮＲの差分に基づいて、他セルからの干渉信号のＣＤＤモードを判定する。モード判定部１１０は、判定結果がＳＤ−ＣＤＤの場合、全ＣＤＤチャネル推定用信号の平均ＳＩＮＲに対応するＣＱＩ（以下、ＣＱＩＣＤＤと称する）をフィードバック情報生成部１１１に出力する。一方、モード判定部１１０は、判定結果がＬＤ−ＣＤＤの場合、何も出力せずに処理を完了する。モード判定部１１０におけるモード判定処理の詳細については後述する。
【００２５】
フィードバック情報生成部１１１は、モード判定部１１０からＣＱＩＣＤＤが入力される場合、ＣＱＩＣＤＤおよびＣＱＩ生成部１０９から入力されるＣＱＩｒｅｆを用いてフィードバック情報を生成する。一方、フィードバック情報生成部１１１は、モード判定部１１０からＣＱＩＣＤＤが入力されない場合、ＣＱＩｒｅｆを用いてフィードバック情報を生成する。そして、フィードバック情報生成部１１１は、生成したフィードバック情報を後述する基地局へフィードバックする。フィードバック情報生成部１１１におけるフィードバック情報生成処理の詳細については後述する。
【００２６】
次に、モード判定部１１０におけるモード判定処理の詳細について説明する。なお、自局のＣＤＤモードがＬＤ−ＣＤＤである場合、ＣＤＤチャネル変動が大きく、干渉電力を平均化する無線帯域幅が大きくなるため、サブキャリア毎の干渉電力の平均化効果が大きくなる。よって、自局のＣＤＤモードがＬＤ−ＣＤＤである場合には、他セルからの干渉信号のＣＤＤモードがＬＤ−ＣＤＤまたはＳＤ−ＣＤＤのいずれの場合でも、ＣＱＩ生成部１０９は共通参照信号により正確なＣＱＩを生成することができる。よって、自局のＣＤＤモードがＬＤ−ＣＤＤである場合は、モード判定部１１０は他セルからの干渉信号のＣＤＤモードを判定する必要がない。よって、モード判定部１１０は、自局のＣＤＤモードがＳＤ−ＣＤＤである場合にのみモード判定処理を行う。そこで、以下の説明では、自局のＣＤＤモードがＳＤ−ＣＤＤである場合についてのみ説明する。
【００２７】
図２に１２個のサブキャリアｆ１〜ｆ１２からなるＲＢを示す。図２に示すように、各サブキャリアには、アンテナ１０１−１用共通参照信号、アンテナ１０１−２用共通参照信号またはデータ信号のいずれかが配置される。また、ここでは、循環遅延シフトサンプル数をＮ／２とする。ここで、Ｎは１ＲＢあたりのサブキャリア数である。よって、図２においてはＮ＝１２となる。
【００２８】
モード判定部１１０は、図２に示すＲＢにおいて、時刻ｔ７のｆ２，ｆ３，ｆ８およびｆ９に配置されたデータ信号をＣＤＤチャネル推定用信号に指定する。また、モード判定部１１０は、ｆ２およびｆ３に配置された２つのＣＤＤチャネル推定用信号を一方のＣＤＤチャネル推定信号ペアとし、ｆ８およびｆ９に配置された２つのＣＤＤチャネル推定用信号を他方のＣＤＤチャネル推定用信号ペアとする。なお、共通参照信号を用いたＣＤＤチャネル推定の誤差を低減するために、共通参照信号の配置位置付近にＣＤＤチャネル推定用信号を配置することが好ましい。
【００２９】
ここで、モード判定部１１０は、以下の条件１〜３に従ってＣＤＤチャネル推定用信号ペアを指定する。ここでは、ＳＤ−ＣＤＤのＣＤＤチャネル変動周期をΔｆＳＤとし、ＬＤ−ＣＤＤのＣＤＤチャネル変動周期をΔｆＬＤとする。
【００３０】
＜条件１＞
ＣＤＤチャネル推定用信号ペアを構成するデータ信号間の周波数間隔Δｆ１は、次式（１）により決定される。
【数１】
2008149533.tif 000028
すなわち、Δｆ１はＬＤ−ＣＤＤのＣＤＤチャネル変動周期の半周期分の間隔に設定される。これにより、ＬＤ−ＣＤＤのＣＤＤチャネルにおいて互いに逆位相の２つのＣＤＤチャネル推定用信号がペアになるため、モード判定部１１０は、ＬＤ−ＣＤＤのＣＤＤチャネル変動全体を反映したＣＤＤチャネル推定を行うことができる。
【００３１】
＜条件２＞
ＣＤＤチャネル推定用信号ペアは、１ＲＢ内に最低２ペア以上配置される。これは、モード判定部１１０が、ＲＢ内の互いに異なるＣＤＤチャネル推定用信号ペアを用いてＣＤＤモードの判定を行うためである。
【００３２】
＜条件３＞
互いに異なるＣＤＤチャネル推定用信号ペアの間の周波数間隔Δｆ２は、次式（２）により決定される。
【数２】
2008149533.tif 000029
ここで、ｍはΔｆ１とΔｆ２との間の関係から決定される自然数である。すなわち、Δｆ２はΔｆ１の整数倍であり、かつ、ＳＤ−ＣＤＤのＣＤＤチャネル変動周期の半周期よりも十分に短い間隔に設定される。これにより、互いに異なるＣＤＤチャネル推定用信号ペアは、ＳＤ−ＣＤＤのＣＤＤチャネル変動周期において、ほぼ同位相の位置に配置される。
【００３３】
このように、モード判定部１１０は、予め配置位置を指定されたＣＤＤチャネル推定用信号を用いて他セルからの干渉信号のＣＤＤモードを判定する。
【００３４】
以下、図３および図４を用いて具体的に説明する。なお、図３に示す周波数特性は他セルからの干渉信号のＣＤＤモードがＳＤ−ＣＤＤの場合であり、図４に示す周波数特性は他セルからの干渉信号のＣＤＤモードがＬＤ−ＣＤＤの場合である。また、図３および図４に示すＲＢ２において、ｔ７のｆ１４，ｆ１５，ｆ２０およびｆ２１にＣＤＤチャネル推定用信号が配置される。また、図３および図４に示すように、ｆ１４に配置されたＣＤＤチャネル推定用信号とｆ１５に配置されたＣＤＤチャネル推定用信号とから一方のＣＤＤチャネル推定用信号ペアが構成され、ｆ２０に配置されたＣＤＤチャネル推定用信号とｆ２１に配置されたＣＤＤチャネル推定用信号とから他方のＣＤＤチャネル推定用信号ペアが構成される。
【００３５】
まず、モード判定部１１０は、ＣＤＤチャネル推定用信号毎のＳＩＮＲを測定する。具体的には、モード判定部１１０は、図３および図４に示すＲＢ２において、ｆ１４，ｆ１５，ｆ２０およびｆ２１に配置されたＣＤＤチャネル推定用信号のＳＩＮＲを測定する。ここでは、ｆ１４，ｆ１５，ｆ２０およびｆ２１に配置されたＣＤＤチャネル推定用信号のＳＩＮＲをそれぞれＳＩＮＲ１４，ＳＩＮＲ１５，ＳＩＮＲ２０およびＳＩＮＲ２１とする。
【００３６】
次いで、モード判定部１１０は、次式（３）上段を用いてＣＤＤチャネル推定用信号ペアの平均ＳＩＮＲであるＳＩＮＲｉ（ａｖｅ）をそれぞれ算出する。
【数３】
2008149533.tif 000030
ここで、ｉはＲＢ内のＣＤＤチャネル推定用信号ペア番号であり、ｋはサブキャリア番号であり、ΔｋはΔｆ１をサブキャリア帯域幅で正規化したものである。具体的には、モード判定部１１０は、図３および図４に示すＲＢ２において、ＳＩＮＲ１４とＳＩＮＲ１５とからＳＩＮＲ１（ａｖｅ）を算出し、ＳＩＮＲ２０とＳＩＮＲ２１とからＳＩＮＲ２（ａｖｅ）を算出する。また、モード判定部１１０は、式（３）の下段を用いてＳＩＮＲｉ（ａｖｅ）を算出してもよい。式（３）下段に示すＳｋはサブキャリアｋにおける所望電力であり、Ｉｋはサブキャリアｋにおける他セルからの干渉電力である。すなわち、モード判定部１１０は、所望電力Ｓ１４，Ｓ１５と干渉電力Ｉ１４，Ｉ１５とからＳＩＮＲ１（ａｖｅ）を算出し、所望電力Ｓ２０，Ｓ２１と干渉電力Ｉ２０，Ｉ２１とからＳＩＮＲ２（ａｖｅ）を算出してもよい。
【００３７】
そして、モード判定部１１０は、互いに異なるＣＤＤチャネル推定用信号ペア間の平均ＳＩＮＲの差ΔＳＩＮＲを次式（４）より算出する。
【数４】
2008149533.tif 000031
【００３８】
ここで、他セルからの干渉信号のＣＤＤモードがＳＤ−ＣＤＤである場合（図３）のΔＳＩＮＲより、他セルからの干渉信号のＣＤＤモードがＬＤ−ＣＤＤである場合（図４）のΔＳＩＮＲは小さくなり、ほぼゼロとなる。
【００３９】
他セルからの干渉信号のＣＤＤモードがＳＤ−ＣＤＤである場合（図３）、１ＲＢ内に配置された互いに異なるＣＤＤチャネル推定用信号ペアは、ＳＤ−ＣＤＤのＣＤＤチャネル変動周期の半周期よりも十分小さい周波数間隔でそれぞれ配置される。これより、互いに異なるＣＤＤチャネル推定用信号ペアを構成するＣＤＤチャネル推定用信号は、ＳＤ−ＣＤＤのＣＤＤチャネル変動周期の山の部分付近または谷の部分付近に位置する場合を除いて互いに異なる値となる場合が多くなる。具体的には、図３に示すように、ｆ１４（ｆ１５）に配置されたＣＤＤチャネル推定用信号とｆ２０（ｆ２１）に配置されたＣＤＤチャネル推定用信号との間はＳＤ−ＣＤＤのＣＤＤチャネル変動周期の１／６周期分しか離れていない。よって、図３に示すＳＩＮＲ特性において、ＳＩＮＲ１４（ＳＩＮＲ１５）およびＳＩＮＲ２０（ＳＩＮＲ２１）は双方ともＳＤ−ＣＤＤのＣＤＤチャネル変動周期の山の部分と谷の部分との間のいずれかに位置する。つまり、ＳＩＮＲ１４（ＳＩＮＲ１５）とＳＩＮＲ２０（ＳＩＮＲ２１）とは互いに異なる値となる。つまり、ＳＩＮＲ１（ａｖｅ）とＳＩＮＲ２（ａｖｅ）とは互いに異なる値となる。
【００４０】
一方、他セルからの干渉信号のＣＤＤモードがＬＤ−ＣＤＤである場合（図４）、１ＲＢ内に配置された互いに異なるＣＤＤチャネル推定用信号ペアは、ＬＤ−ＣＤＤのＣＤＤチャネル変動周期の半周期の周波数間隔でそれぞれ配置される。これより、互いに異なるＣＤＤチャネル推定用信号ペアの平均ＳＩＮＲはほぼ同じ値となる。具体的には、図４に示すように、ｆ１４（ｆ１５）に配置されたＣＤＤチャネル推定用信号とｆ２０（ｆ２１）に配置されたＣＤＤチャネル推定用信号との間は、ＬＤ−ＣＤＤのＣＤＤチャネル変動周期の３周期分離れている。よって、図４に示すＳＩＮＲ特性において、ＳＩＮＲ１４（ＳＩＮＲ１５）およびＳＩＮＲ２０（ＳＩＮＲ２１）は双方ともＬＤ−ＣＤＤのＣＤＤチャネル変動周期の山の部分（チャネル変動周期の谷の部分）に位置する。すなわち、ＳＩＮＲ１４（ＳＩＮＲ１５）とＳＩＮＲ２０（ＳＩＮＲ２１）とはほぼ同じ値となり、ＳＩＮＲ１（ａｖｅ）とＳＩＮＲ２（ａｖｅ）とはほぼ同じ値となる。
【００４１】
このように、他セルからの干渉信号のＣＤＤモードがＳＤ−ＣＤＤであるか、ＬＤ−ＣＤＤであるかによって、ΔＳＩＮＲの値に差が生じる。
【００４２】
そこで、モード判定部１１０は、算出されたΔＳＩＮＲに基づいて他セルからの干渉信号のＣＤＤモードを判定する。具体的には、モード判定部１１０は、次式（５）に従って他セルからの干渉信号のＣＤＤモードを判定する。
【数５】
2008149533.tif 000032
ここで、ＳＩＮＲｔｈは、ＣＤＤモードの判定閾値である。すなわち、モード判定部１１０は、ΔＳＩＮＲがＳＩＮＲｔｈ以上の場合（図３の場合）は他セルからの干渉信号のＣＤＤモードをＳＤ−ＣＤＤと判定する一方、ΔＳＩＮＲがＳＩＮＲｔｈ未満の場合（図４の場合）は他セルからの干渉信号のＣＤＤモードをＬＤ−ＣＤＤと判定する。
【００４３】
そして、モード判定部１１０は、他セルからの干渉信号のＣＤＤモードの判定結果がＳＤ−ＣＤＤの場合のみ、ＣＤＤチャネル推定用信号を用いて平均ＳＩＮＲを算出する。具体的には、モード判定部１１０は、図３において、次式（６）よりＳＩＮＲＣＤＤを算出する。
【数６】
2008149533.tif 000033
ここで、ＣＤＤモードの判定結果がＬＤ−ＣＤＤである場合、図４に示すように、ＣＤＤチャネル変動が大きいため、サブキャリア毎の干渉電力の平均化効果が大きくなる。つまり、平均の干渉電力は他セルがＬＤ−ＣＤＤを行わない場合と同一となる。よって、ＣＤＤモードの判定結果がＬＤ−ＣＤＤである場合は共通参照信号を用いたＣＤＤチャネル推定の補正は不要となる。
【００４４】
そして、モード判定部１１０は、ＳＩＮＲＣＤＤに対応するＣＱＩＣＤＤを生成する。
【００４５】
次に、モード判定部１１０の処理フローについて図５のフローチャートを用いて説明する。
【００４６】
ＳＴ（ステップ）１０１において、モード判定部１１０は、ＣＤＤチャネル推定用信号毎のＳＩＮＲを測定する。
【００４７】
ＳＴ１０２では、モード判定部１１０は、ＣＤＤチャネル推定用信号ペアの平均ＳＩＮＲを算出する。
【００４８】
ＳＴ１０３では、モード判定部１１０は、ＲＢ内の互いに異なるＣＤＤチャネル推定用信号ペアの平均ＳＩＮＲの差を算出する。
【００４９】
ＳＴ１０４では、モード判定部１１０は、ＳＴ１０３で算出された平均ＳＩＮＲの差と閾値とを比較してＣＤＤモードの判定を行う。
【００５０】
モード判定部１１０は、ＳＴ１０４での判定結果がＳＤ−ＣＤＤであった場合（ＳＴ１０５：ＹＥＳ）、ＳＴ１０６で、全ＣＤＤチャネル推定用信号を用いて平均ＳＩＮＲを測定する。
【００５１】
ＳＴ１０７では、モード判定部１１０は、測定された平均ＳＩＮＲに対応するＣＱＩＣＤＤを生成する。
【００５２】
一方、モード判定部１１０は、ＳＴ１０４での判定結果がＬＤ−ＣＤＤであった場合（ＳＴ１０５：ＮＯ）、モード判定処理を終了する。
【００５３】
次に、フィードバック情報生成部１１１におけるフィードバック情報生成処理の詳細について説明する。
【００５４】
フィードバック情報生成部１１１は、モード判定部１１０からＣＱＩＣＤＤが入力されない場合、図６Ａに示すように、従来と同様にしてＣＱＩｒｅｆを用いてフィードバック情報を生成する。
【００５５】
一方、フィードバック情報生成部１１１は、モード判定部１１０からＣＱＩＣＤＤが入力された場合、ＣＱＩｒｅｆまたはＣＱＩＣＤＤを用いてフィードバック情報を生成する。以下、モード判定部１１０からＣＱＩＣＤＤが入力された場合のフィードバック情報生成部１１１でのフィードバック情報生成例１〜３について説明する。
【００５６】
＜フィードバック情報生成例１（図６Ｂ）＞
本生成例では、図６Ｂに示すように、フィードバック情報生成部１１１は、ＣＱＩＣＤＤを用いてフィードバック情報を生成する。これにより、他セルのＣＤＤチャネルにおける干渉の影響をＣＱＩに反映することができるため、基地局では、より正確なスケジューリングを行うことができる。また、本生成例では、図６Ａに示すＣＱＩｒｅｆをＣＱＩＣＤＤに変更することのみでフィードバック情報を生成することができるため、本生成例によれば従来同様のフォーマットによりフィードバック情報を生成することができる。
【００５７】
＜フィードバック情報生成例２（図６Ｃ）＞
本生成例では、フィードバック情報生成部１１１は、ＣＱＩｒｅｆとＣＱＩＣＤＤとの差ΔＣＱＩを算出し、図６Ｃに示すように、ＣＱＩｒｅｆおよびΔＣＱＩを用いてフィードバック情報を生成する。ここで、ΔＣＱＩは符号（＋または−）と絶対値とで表される。これにより、ΔＣＱＩによってＣＱＩｒｅｆを補正してＣＱＩｒｅｆの精度を高めることができるため、基地局では、より正確なスケジューリングを行うことができる。
【００５８】
＜フィードバック情報生成例３（図６Ｄ）＞
本生成例では、フィードバック情報生成部１１１は、図６Ｄに示すように、ＣＱＩｒｅｆおよびΔＣＱＩの符号を用いてフィードバック情報を生成する。ＣＱＩレベルの補正量を予め設定することで、基地局ではΔＣＱＩの符号に応じてＣＱＩｒｅｆをその補正量だけ増加または減少させる。これにより、基地局は、フィードバック情報生成例２よりも少ないフィードバック情報でＣＱＩｒｅｆを補正することができる。
【００５９】
以上、モード判定部１１０からＣＱＩＣＤＤが入力された場合のフィードバック情報生成部１１１でのフィードバック情報生成例１〜３について説明した。
【００６０】
次に、本実施の形態に係る基地局２００の構成を図７に示す。
【００６１】
送信パラメータ選択部２０１は、移動局１００からのフィードバック情報に含まれるＣＱＩに基づいて、各移動局への送信データに対するＭＣＳレベル（符号化率および変調方式）およびＣＤＤモード（ＳＤ−ＣＤＤまたはＬＤ−ＣＤＤ）を選択する。また、送信パラメータ選択部２０１は、選択されたＭＣＳレベルおよびＣＤＤモードを示す制御信号を生成する。そして、送信パラメータ選択部２０１は、ＭＣＳレベルを符号化部２０２および変調部２０３へ出力し、ＣＤＤモードを循環遅延部２０４へ出力し、制御信号を多重部２０５へ出力する。
【００６２】
符号化部２０２は、送信データを送信パラメータ選択部２０１から入力される符号化率に従って符号化する。そして、符号化部２０２は、符号化後の送信データを変調部２０３へ出力する。
【００６３】
変調部２０３は、符号化部２０２から入力される符号化後の送信データを送信パラメータ選択部２０１から入力される変調方式に従って変調してデータシンボルを生成する。そして、変調部２０３は、データシンボルを循環遅延部２０４へ出力する。
【００６４】
循環遅延部２０４は、変調部２０３から入力されるデータシンボルに対して、送信パラメータ選択部２０１から入力されるＣＤＤモードに従って循環遅延を行う。そして、循環遅延部２０４は、循環遅延後のデータシンボルを多重部２０５へ出力する。
【００６５】
多重部２０５は、共通参照信号と、送信パラメータ選択部２０１から入力される制御信号と、循環遅延部２０４から入力されるデータシンボルとを多重する。そして、多重部２０５は、多重された直列の信号を２系列の並列の信号に変換し、これらの並列の信号を複数のＲＢのいずれかに配置する。そして、多重部は、ＲＢに配置された系列毎の信号をＩＦＦＴ（Inverse Fast Fourier Transform）部２０６−１およびＩＦＦＴ部２０６−２へそれぞれ出力する。
【００６６】
ＩＦＦＴ部２０６−１、ＣＰ付加部２０７−１および無線送信部２０８−１はアンテナ２０９−１に対応して備えられる。また、ＩＦＦＴ部２０６−２、ＣＰ付加部２０７−２および無線送信部２０８−２はアンテナ２０９−２に対応して備えられる。
【００６７】
ＩＦＦＴ部２０６−１およびＩＦＦＴ部２０６−２は、多重部２０５から入力される信号が配置されたサブキャリアに対してＩＦＦＴ処理を施して、周波数領域の信号を時間領域の信号に変換し、ＯＦＤＭシンボルを生成する。そして、ＩＦＦＴ部２０６−１およびＩＦＦＴ部２０６−２は、ＯＦＤＭシンボルをＣＰ付加部２０７−１およびＣＰ付加部２０７−２へそれぞれ出力する。
【００６８】
ＣＰ付加部２０７−１およびＣＰ付加部２０７−２は、各ＯＦＤＭシンボルの後尾部分と同じ信号をＣＰとして各ＯＦＤＭシンボルの先頭に付加する。そして、ＣＰ付加部２０７−１およびＣＰ付加部２０７−２は、ＣＰ付加後のＯＦＤＭシンボルを無線送信部２０８−１および無線送信部２０８−２へそれぞれ出力する。
【００６９】
無線送信部２０８−１および２０８−２は、ＣＰ付加後のＯＦＤＭシンボルに対しＤ／Ａ変換、増幅およびアップコンバート等の送信処理を行って、送信処理後のＯＦＤＭシンボルをアンテナ２０９−１および２０９−２から同時に送信する。これにより、複数のＯＦＤＭシンボルが複数のアンテナよりＣＤＤ送信される。
【００７０】
このように、本実施の形態によれば、データ信号をＣＤＤチャネル推定用信号として用いて、ＣＤＤモードの相違に起因するＣＤＤチャネル変動の差異を判断することができるため、ＣＤＤを用いる場合でも他セルからの干渉信号のＣＤＤモードを正確に判定することができる。これにより、ＣＤＤチャネルの回線品質を正確に測定することができるため、適切なＣＱＩを確実に生成することができる。
【００７１】
なお、本実施の形態では、図２に示すように、ＣＤＤチャネル推定用信号ペアを構成する複数のＣＤＤチャネル推定用信号をｔ７の同一時刻に配置した。しかし、ＣＤＤチャネル推定用信号ペアを構成する複数のＣＤＤチャネル推定用信号は、必ずしも同一時刻に配置される必要はなく、共通参照信号の配置位置付近に配置されていればよい。例えば、図８Ａに示すように、ＣＤＤチャネル推定用信号ペアを構成する複数のＣＤＤチャネル推定用信号は、共通参照信号が配置されたｔ３とｔ７との間のｔ４およびｔ６にそれぞれ配置されてもよく、図８Ｂに示すように、共通参照信号が配置されたｔ３に配置されてもよく、また、図８Ｃに示すように、共通参照信号が配置されたｔ３およびｔ７にそれぞれ配置されてもよい。
【００７２】
（実施の形態２）
本実施の形態は、複数の個別参照信号で構成されるＣＤＤチャネル推定用信号ペアを用いて他セルからの干渉信号のＣＤＤモードを判定する点において実施の形態１と相違する。
【００７３】
図９に本実施の形態に係る移動局３００の構成を示す。図９において、実施の形態１（図１）と同一の構成部分には同一符号を付し説明を省略する。
【００７４】
モード判定部３０１は、復調部１０６から入力されるデータ信号において、分離部１０５から入力される制御信号により示される配置情報に基づいて個別参照信号を特定する。そして、モード判定部３０１は、特定した個別参照信号を用いて、実施の形態１と同様に、他セルからの干渉信号のＣＤＤモードを判定する。
【００７５】
次に、図１０に本実施の形態に係る基地局４００の構成を示す。図１０において、実施の形態１（図７）と同一の構成部分には同一符号を付し説明を省略する。
【００７６】
指定部４０１は、送信パラメータ選択部２０１から入力される制御信号により示されるＣＤＤモードがＳＤ−ＣＤＤの場合、個別参照信号を循環遅延部２０４へ出力する。また、指定部４０１は、個別参照信号の配置位置を指定する。そして、指定部４０１は、送信パラメータ選択部２０１から入力される制御信号に個別参照信号の配置位置を示す配置情報を追加し、配置情報を追加した制御信号を多重部２０５へ出力する。
【００７７】
一方、指定部４０１は、送信パラメータ選択部２０１から入力される制御信号により示されるＣＤＤモードがＬＤ−ＣＤＤの場合、送信パラメータ選択部２０１から入力される制御信号をそのまま多重部２０５へ出力する。
【００７８】
循環遅延部２０４は、指定部４０１から入力される個別参照信号に対して、送信パラメータ選択部２０１から入力されるＣＤＤモードに従って循環遅延を行う。そして、循環遅延部２０４は、循環遅延後の個別参照信号を多重部２０５へ出力する。
【００７９】
多重部２０５は、指定部４０１から入力される制御信号に含まれる配置情報に従って、循環遅延部２０４から入力される個別参照信号を複数のサブキャリアのいずれかに配置する。
【００８０】
次に、指定部４０１において指定する個別参照信号の配置位置について説明する。
【００８１】
図１１に示すように、例えば、指定部４０１は、ｔ５のｆ２，ｆ３，ｆ８およびｆ９に個別参照信号を配置するように指定する。ここでは、ｆ２に配置された個別参照信号とｆ３に配置された個別参照信号とから一方のＣＤＤチャネル推定用信号ペアが構成され、ｆ８に配置された個別参照信号とｆ９に配置された個別参照信号とから他方のＣＤＤチャネル推定用信号ペアが構成される。
【００８２】
個別参照信号は基地局と移動局との間で既知であるため、本実施の形態におけるＣＤＤチャネル推定用信号は、実施の形態１のように共通参照信号の配置位置付近に配置されなくてもよい。そこで、図１１に示すように、指定部４０１は、周波数領域において共通参照信号の配置位置（ｆ１とｆ４またはｆ７とｆ１０）の中間（ｆ２とｆ３またはｆ８とｆ９）にＣＤＤチャネル推定用信号ペアの配置位置を指定し、時間領域において共通参照信号の配置位置（ｔ３とｔ７）の中間（ｔ５）にＣＤＤチャネル推定用信号ペアの配置位置を指定する。これにより、共通参照信号および個別参照信号が周波数領域および時間領域で分散して配置されるため、基地局と移動局との間で既知である参照信号と実際のデータ信号との推定誤差を低減することができる。
【００８３】
このように、本実施の形態によれば、移動局と基地局との間で既知である個別参照信号を用いるため、実施の形態１よりも正確に他セルからの干渉信号のＣＤＤモードを判定することができる。これにより、実施の形態１よりも正確にＳＩＮＲを測定することができるため、実施の形態１よりもさらに精度の高いＣＱＩを生成することができる。
【００８４】
以上、本発明の各実施の形態について説明した。
【００８５】
なお、上記実施の形態では、図２および図１１に示すように、循環遅延シフトサンプル数がＮ／２の場合について説明した。しかし、本発明では、循環遅延シフトサンプル数はＮ／２に限らない。例えば、循環遅延シフトサンプル数がＮ／３の場合、ＣＤＤチャネル推定用信号ペアは図１２Ａに示すようにサブキャリア１つおきに配置される。また、循環遅延シフトサンプル数がＮ／４の場合、ＣＤＤチャネル推定用信号ペアは図１２Ｂに示すようにサブキャリア２つおきに配置される。また、循環遅延シフトサンプル数がＮ／５の場合、ＣＤＤチャネル推定用信号ペアは図１２Ｃに示すようにサブキャリア３つおきに配置される。
【００８６】
また、ＣＤＤはＣＳＤ（Cyclic Shift Diversity）と称されることがある。また、ＣＰはガードインターバル（ＧＩ：Guard Interval）と称されることがある。また、サブキャリアはトーンと称されることがある。また、基地局はNode B、移動局はUEと表されることがある。
【００８７】
また、上記実施の形態では、１つの送信データに対して１つのＲＢを使用する場合について説明した。しかし、本発明は、１つの送信データに対して複数のＲＢを使用する場合にも適用することができる。この場合、移動局は、複数のＲＢ毎にＣＱＩを生成して基地局にフィードバックしてもよく、複数のＲＢに対し１つのＣＱＩを生成して基地局にフィードバックしてもよい。また、１つの送信データが分割されて配置された複数のＲＢに対して同一のＣＱＩを用いる場合、基地局は、複数のＲＢのＣＱＩの平均値に従ってスケジューリングを行ってもよく、また、複数のＲＢのＣＱＩのうち最も低いＣＱＩに従ってスケジューリングを行ってもよい。
【００８８】
また、上記実施の形態では、本発明をハードウェアで構成する場合を例にとって説明したが、本発明はソフトウェアで実現することも可能である。
【００８９】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００９０】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００９１】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【００９２】
２００７年５月３１日出願の特願２００７−１４５８８２の日本出願に含まれる明細書、図面および要約書の開示内容は、すべて本願に援用される。
【産業上の利用可能性】
【００９３】
本発明は、移動体通信システム等に適用することができる。
【図面の簡単な説明】
【００９４】
【図１】本発明の実施の形態１に係る移動局のブロック構成図
【図２】本発明の実施の形態１に係るシンボル配置を示す図（循環遅延シフトサンプル数：Ｎ／２）
【図３】本発明の実施の形態１に係る周波数特性を示す図（他セルがＳＤ−ＣＤＤの場合）
【図４】本発明の実施の形態１に係る周波数特性を示す図（他セルがＬＤ−ＣＤＤの場合）
【図５】本発明の実施の形態１に係るモード判定部の処理フローを示す図
【図６Ａ】本発明の実施の形態１に係るフィードバック情報を示す図（他セルがＬＤ−ＣＤＤの場合）
【図６Ｂ】本発明の実施の形態１に係るフィードバック情報を示す図（他セルがＳＤ−ＣＤＤの場合：生成例１）
【図６Ｃ】本発明の実施の形態１に係るフィードバック情報を示す図（他セルがＳＤ−ＣＤＤの場合：生成例２）
【図６Ｄ】本発明の実施の形態１に係るフィードバック情報を示す図（他セルがＳＤ−ＣＤＤの場合：生成例３）
【図７】本発明の実施の形態１に係る基地局のブロック構成図
【図８Ａ】本発明の各実施の形態に係るシンボル配置を示す図（配置例１）
【図８Ｂ】本発明の各実施の形態に係るシンボル配置を示す図（配置例２）
【図８Ｃ】本発明の各実施の形態に係るシンボル配置を示す図（配置例３）
【図９】本発明の実施の形態２に係る移動局のブロック構成図
【図１０】本発明の実施の形態２に係る基地局のブロック構成図
【図１１】本発明の実施の形態２に係るシンボル配置を示す図（循環遅延シフトサンプル数：Ｎ／２）
【図１２Ａ】本発明の各実施の形態に係るシンボル配置を示す図（循環遅延シフトサンプル数：Ｎ／３）
【図１２Ｂ】本発明の各実施の形態に係るシンボル配置を示す図（循環遅延シフトサンプル数：Ｎ／４）
【図１２Ｃ】本発明の各実施の形態に係るシンボル配置を示す図（循環遅延シフトサンプル数：Ｎ／５）
【手続補正３】
【補正対象書類名】図面
【補正対象項目名】全図
【補正方法】変更
【補正の内容】
【図１】
2008149533.tif 000034
【図２】
2008149533.tif 000035
【図３】
2008149533.tif 000036
【図４】
2008149533.tif 000037
【図５】
2008149533.tif 000038
【図６Ａ】
2008149533.tif 000039
【図６Ｂ】
2008149533.tif 000040
【図６Ｃ】
2008149533.tif 000041
【図６Ｄ】
2008149533.tif 000042
【図７】
2008149533.tif 000043
【図８Ａ】
2008149533.tif 000044
【図８Ｂ】
2008149533.tif 000045
【図８Ｃ】
2008149533.tif 000046
【図９】
2008149533.tif 000047
【図１０】
2008149533.tif 000048
【図１１】
2008149533.tif 000049
【図１２Ａ】
2008149533.tif 000050
【図１２Ｂ】
2008149533.tif 000051
【図１２Ｃ】
2008149533.tif 000052
【国際調査報告】
2008149533.tif 000053
2008149533.tif 000054
2008149533.tif 000055
2008149533.tif 000056